(57)【要約】      （修正有）【課題】測定作業の邪魔にならないヘッドライトテスタ用工具箱を提供する。【解決手段】被試験車両のヘッドライトの測定位置を微調整する際に用いられる複数の工具を支持することができるようにヘッドライトテスタに固定的に取付けられるヘッドライトテスタ用工具箱であって、このヘッドライトテスタ用工具箱Ｘは、ヘッドライトテスタの垂直案内支柱に上下方向に案内される昇降体の一側壁に固定手段を介して取付けられる垂直板状の取付けベース板と、この取付けベース板から横方向へ突出する底壁と、この底壁及び前記取付けベース板に連設形成された左右の側壁と、これらの側壁に連設形成された前壁とでもって上端開口の箱体を形成していること。【選択図】図６
0003150835.tif 000002
【実用新案登録請求の範囲】
【請求項１】
被試験車両のヘッドライトの測定位置を微調整する際に用いられる複数の工具を支持することができるようにヘッドライトテスタに固定的に取付けられるヘッドライトテスタ用工具箱であって、このヘッドライトテスタ用工具箱Ｘは、ヘッドライトテスタの垂直案内支柱に上下方向に案内される昇降体の一側壁に固定手段を介して取付けられる垂直板状の取付けベース板と、この取付けベース板から横方向へ突出する底壁と、この底壁及び前記取付けベース板に連設形成された左右の側壁と、これらの側壁に連設形成された前壁とでもって上端開口の箱体を形成していることを特徴とするヘッドライトテスタ用工具箱。
【請求項２】
請求項１に於いて、固定手段は、把手部材と、固着具とから成り、前記把手部材は、枠状把手部分と、この枠状把手部分の両端部を直交状態に折り曲げ形成しかつ貫通孔を形成した取付け基端部とを有し、ヘッドライトテスタ用工具箱は、その箱体から突出する突出端部が、昇降体の案内支柱側の垂直方向の一側壁と前記把手部材の垂直方向の取付け基端部にサンドイッチ状に挟持された状態で前記貫通孔に差し込まれた前記固着具を介してヘッドライトテスタに取り外し可能に固定されていることを特徴とするヘッドライトテスタ用工具箱。
【請求項３】
請求項１に於いて、少なくとも前記取付けベース板、左右の側壁、前壁のいずれかの上端部に前記ドライバー差込み用支持部を設けたことを特徴とするヘッドライトテスタ用工具箱。
【請求項４】
請求項１に於いて、ヘッドライトテスタ用工具箱Ｘは、昇降体の一側壁ではなく、垂直案内支柱をカバーするカバー体の一側壁に取付けられていることを特徴とするヘッドライトテスタ用工具箱。
【考案の詳細な説明】
【技術分野】
【０００１】
本考案はドライバー、レンチ等の工具を収納する工具箱に関し、特に、ヘッドライトテスタと一体型のヘッドライトテスタ用工具箱に関する。
【背景技術】
【０００２】
特許文献１には、棒状体に取り付け可能な工具箱が開示されている。この工具箱は、基板（１１）の底面（１１ａ）に突設した係止ブロック（１４）に把持溝（１５）を設け、この把持溝の溝開口部（１６）の一対の側縁部（１４ａ，１４ｂ）のうちの一方の側縁部（１４ａ）にラッチ部材（２）を回動自在に枢支し、このラッチ部材を他方の側縁部（１４ｂ）に着脱自在にスナップ係合し、棒状体（５１）を収容した把持溝をラッチ部材により閉鎖できるようにする構成である（符号は公報のもの）。
【０００３】
この特許文献１に記載の工具箱は、高い所で作業する便宜性を考慮して、例えば梯子の上部横杆（水平棒状体）に係止手段としての前記ラッチ部材（２）を介して着脱自在に取付けられる。したがって、高所作業する際、梯子に登りながら、必要な工具（例えばドライバー）を工具箱から取り出し、或いは工具箱に入れることができるので、高所作業が便利である。
【０００４】
ところで、自動車の整備工場に於いて、被試験車両のランプに対してヘッドライトテスタを正対させた後、ボンネットを開け、複数種類の工具（例えば大・小のドライバー、長杆状のレンチなど）を用いて、ヘッドライトの測定位置（照射方向）を微調整する調整作業が行われている。ヘッドライトテスタは、周知のように、ヘッドライトの照射位置を求める測定装置の一種であるが、ヘッドライトの測定位置を求める際、測定者は、普通一般に前記複数種類の工具を使用するために、これらの工具を、例えば整備或いは作業ベイを形成する壁の係止枠に掛け、或いは適当な工具箱に入れている。
【０００５】
ヘッドライトの測定乃至ヘッドライトの微調整の際、工具を作業ベイ等の壁に設けた係止枠に掛ける場合には、ヘッドライトと工具との位置が離れているために、測定作業を効率的な行うことができないという問題点がある。また、工具箱を床面、ヘッドライトテスタの筐体の上壁などに適当に置いて測定作業をする場合、設置場所如何によっては邪魔になり、或いは好ましくない（筐体の上壁に置く場合）。そこで、実用的観点から、測定作業用の工具箱をヘッドライトテスタの構造に対応して、該ヘッドライトテスタの適当な箇所に位置付けることが望まれている。
【先行技術文献】
【特許文献】
【０００６】
【特許文献１】登録実用新案公報第３０４１９１５号
【考案の概要】
【考案が解決しようとする課題】
【０００７】
本考案は、自動車の整備工場等に於いて、ヘッドライトテスタを使用して被試験車両のランプの測定乃至ヘッドライトの微調整を行うときに、測定作業の邪魔にならないと共に、すばやくドライバー、レンチ等の工具をヘッドライトテスタ側から取り出し、又はヘッドライトテスタ側に支持させることができるヘッドライトテスタ用工具箱を提供することである。
【課題を解決するための手段】
【０００８】
本考案のヘッドライトテスタ用工具箱は、被試験車両のヘッドライトの測定位置を微調整する際に用いられる複数の工具を支持することができるようにヘッドライトテスタに固定的に取付けられるヘッドライトテスタ用工具箱であって、このヘッドライトテスタ用工具箱Ｘは、ヘッドライトテスタの垂直案内支柱に上下方向に案内される昇降体の一側壁に固定手段を介して取付けられる垂直板状の取付けベース板と、この取付けベース板から横方向へ突出する底壁と、この底壁及び前記取付けベース板に連設形成された左右の側壁と、これらの側壁に連設形成された前壁とでもって上端開口の箱体を形成していることを特徴とする。
【０００９】
上記構成に於いて、固定手段は、把手部材と、複数本の固着具とから成り、前記把手部材は、枠状把手部分と、この枠状把手部分の両端部を直交状態に折り曲げ形成し、かつ複数個の貫通孔を形成した取付け基端部とを有し、ヘッドライトテスタ用工具箱は、その箱体から突出する突出端部が、昇降体の案内支柱側の垂直方向の一側壁と前記把手部材の垂直方向の取付け基端部にサンドイッチ状に挟持された状態で前記貫通孔に差し込まれた前記固着具を介してヘッドライトテスタに取り外し可能に固定されていることを特徴とする。
【考案の効果】
【００１０】
（ａ）請求項１に記載の考案は、ヘッドライトテスタの垂直案内支柱に上下方向に案内される昇降体の一側壁に固定手段を介して取付けられるので、測定作業の邪魔にならない。また、ヘッドライトテスタと一体的に移動するので、測定作業をしている直ぐその場で工具を取り扱いすることができるので、測定作業用の向上化に寄与する。さらに、ドライバー、レンチ等の複数種類の工具を収納することができる。
（ｂ）請求項２に記載の考案は、固定手段は、把手部材と、固着具とから成っているので、ヘッドライトテスタの昇降体に固着具の穴を形成するだけで良い。付言すると、取付け板、支持板等を溶着する、昇降体の側壁に取付け用切欠、取付け用溝、取付け突片等の加工を施す必要がない。また、工具箱を、昇降体の側壁に固定手段を介して迅速かつサンドイッチ状に強固に固定することができる。また、工具箱が不要な場合には、簡単に取り外すことができる。さらに、把手部材に手を掛けてヘッドライトテスタを移動させることもできる。
（ｃ）請求項３に記載の考案は、上端開口に長杆状のレンチを差し込むことができるのみならず、レンチよりも短い大・小のドライバーを支持部に差し込むことができる。
（ｄ）請求項４に記載の考案は、請求項１と同様に実用的な効果を得ることができる。
【図面の簡単な説明】
【００１１】
【図１】第１実施例の工具箱の正面図。
【図２】工具箱の左側面図。
【図３】工具箱の背面図。
【図４】工具箱の平面図。
【図５】固定手段と工具箱の突出端部と昇降体の一側壁とを示す斜視からの概略説明図。
【図６】固定手段を介して工具箱の取付け部分を昇降体の一側壁に固定した一部概略断面説明図。
【図７】ヘッドライトテスタの昇降体に工具箱を取付けた左側面視からの概略説明図。
【図８】ヘッドライトテスタの昇降体に工具箱を取付けた斜視からの概略説明図。
【図９】工具箱を取付けたヘッドライトテスタの正面視からの概略説明図。
【図１０】ヘッドライトテスタのカバー体に第２実施例の工具箱を取付けた他の実施例を示す概略説明図。
【図１１】第２実施例の工具箱の斜視図。
【考案を実施するための最良の形態】
【００１２】
Ｘは、被試験車両のヘッドライトの測定位置を微調整する際に用いられる複数種類の工具Ｚを支持することができるようにヘッドライトテスタＹに固定的に取付けられるヘッドライトテスタ用工具箱ある。複数種類の工具Ｚとしては、例えば大・小のドライバー、長杆状のレンチなどを挙げることができる。本実施例のヘッドライトテスタ用工具箱Ｘは、合成樹脂材で上端開口の縦長状に成形されている。なお、工具箱は、適当な金属で製作しても良い。
【００１３】
すなわち、このヘッドライトテスタ用工具箱Ｘは、ヘッドライトテスタの昇降体の一側壁に複数個の固着具或いは溶着或いはまた接着という固定手段を介して固定的に取付けられる垂直板状の取付けベース板１と、この取付けベース板１の中央部或いは下端部寄りの部位から水平方向に突出するように一体成形された底壁２と、この底壁２の左右の縁及び前記取付けベース板の左右の縁に前方に突出するように一体成形された左右の側壁３、４と、これらの側壁の縁部に一体成形された前壁５と、この前壁５の上端部又は／及び前記側壁の上端部に設けられた複数個のドライバー差込み用の通孔６ａを有する枠状支持部６とから成る。
【００１４】
図１乃至図４は、実施化レベルの工具箱Ｘの正面図（図１）、左側面図（図２）、背面図（図３）及び平面図（図４）である。垂直板状の取付けベース板１は、普通一般の平板を垂直状態にしたものである。これらの図から明らかなように、後壁に相当する取付けベース板１と、この取付けベース板の前方へ水平方向に突出する底壁２と、この底壁２及び前記取付けベース板１に連設形成された左右一対の側壁３、４と、これらの側壁３、４に連設形成された垂直板状の前壁５とでもって上端開口９の箱体８が形成され、しかも、前記左右の側壁３、４及び取付けベース板１の上端部に、例えば大・小のドライバーを差し込むことができる複数個の通孔６ａを水平方向に連続的に有する枠状或いは複数個の支持部６を設けている。
【００１５】
この実施例では、前記垂直板状の前壁５は、図４で示すように外方向に弧状に形成されている。これにより不番の工具用収納空間が多少広くなっている。もちろん、前記左右の側壁３、４も前壁５と同様に外方向に弧状に形成しても良い。また、横方向に形成されている底壁２を鍋状（凹所状）に形成しても良い。また左右の側壁３、４、前壁５をそれぞれ傾斜状、或いは前壁５を正面視平行四辺形状に形成し、工具を上端開口９から斜め方向に差し込むようにしても良い。
【００１６】
また、この実施例では、前記複数個の通孔６ａを有する枠状支持部６は、箱体８の上端開口９の縁部の一部に外方向に突出形成しているが、もちろん、上端開口９の縁部の全部に突出形成しても良いし、また、枠状支持部６を内側方向に所要量突出形成しても良い。
また、枠状支持部６は、必ずしも枠状である必要はなく、箱体８の周縁に沿って、かつ所定間隔離間する複数個の支持部であっても良い。また、枠状支持部６に代えて、箱体８の上端開口９内に図示しない仕切り板を設け、該仕切り板を基準として大・小のドライバーを支持することができる複数個の支持孔（通孔）を画定することもできる。さらに、枠状支持部６の肉厚を箱体８のそれよりも厚めに形成して、複数個の通孔６ａの全部或いは一部の下端部を閉塞にすることもできる。
【００１７】
上記のように側壁３、４や前壁５の形状、枠状支持部６の形態、大きさ、形成位置、通孔６ａの数、下端閉塞の有無等については、考案の要旨を逸脱しない範囲に於いて、任意に変更し得る事項である。
【００１８】
なお、この実施例では、例えば図３で示すように、枠状支持部６の下方に複数個の通孔６ａに対応して、かつ所定空間を形成する小仕切り片７が垂直状態に設けられている。これらの小仕切り片７は、枠状支持部６の通孔６ａに差し込まれたドライバーの根元部分の付近を支持するためのものであるが、該小仕切り片７は考案の本質的事項ではない。
【００１９】
次に、図５は本実施例の固定手段１１の一例を示す。固定手段１１は、取付けベース板１の突出端部（取付け部分）１ａに水平状態、或いは斜めの状態（本実施例）、或いはまた垂直状態に取り付けられる把手部材１２と、複数本の固着具１３とから成り、前記把手部材１２は、例えばコ字形状の把手部分１２ａと、この把手部分の両端部を下方方向へ直交状態に折り曲げ形成し、かつ複数個の貫通孔１４を有する取付け基端部１２ｂとから成る。もちろん、把手部分１２ａの形状を単なる棒状ではなく、例えば波状、弧状等任意の形状に設計変更することができる。また、取付け基端部１２ｂの方向を水平方向、斜め方向に形成することもできる。したがって、把手部分１２ａの形状や取付け基端部１２ａの方向も、考案の本質的事項ではない。
【００２０】
ところで、本実施例では、工具箱Ｘの取付け部分１ａは、箱体８の底壁２よりも下側の取付け部分（以下、「突出端部」という）で、この突出端部１ａには、固着具１３用の貫通状取付け孔１５が複数個形成されている。もちろん、箱体８から上下方向又は左右方向に所要量突出する突出端部１ａの位置は任意に設計変更することができる（例えば箱体８から上方に設けるなど）。また、貫通状取付け孔１５の数は、把手部材１２の貫通孔１４に対応すれば十分なので、合計２個で良いが、実施例では、ヘッドライトテスタの左右勝手を考慮して合計４個形成されている。
【００２１】
図６は、前述した固定手段１１を用いて、工具箱Ｘを、ヘッドライトテスタＹを構成する昇降体２１の一側壁２１ａに取り外し可能に固定した一例を示す。望ましくは、測定作業の邪魔にならないように、ヘッドライトテスタ用工具箱Ｘは、昇降体２１の複数本の案内支柱２２側の垂直側壁２１ａと前記取付け基端部１２ｂにサンドイッチ状に挟持された状態で前記貫通孔１４に差し込まれた前記固着具１３を介してヘッドライトテスタに垂直状態に強固に固定される。
【００２２】
前記垂直側壁２１ａには、昇降体２１の垂直側壁２１ａに貫通状取付け孔１５の数と形成位置に対応して合計４個（複数個）のメネジ穴１６が形成されている。なお、ヘッドライトテスタＹの構成は周知事項なので、詳細な説明は割愛する。
【実施例】
【００２３】
図１０は、第１実施例の工具箱Ｘと同様の工具箱Ｘ１をヘッドライトテスタＹの案内支柱２２をカバーする縦型のカバー体２５の一側壁２５ａの外面に、固定手段（溶着、固着具、磁石など）１１Ａにより、直接又は間接的（図示しない支持板を介して）に固定した第２実施例である。
【００２４】
なお、この工具箱Ｘ１は、箱体８Ａの左側壁３又は／及び右側壁４の上端部に通孔６ａを有する支持部６がそれぞれ形成されている点、取付けベース板１の箱体８Ａの上方にも取付け部分（突出端部）１ａが設けられている点が第１実施例の工具箱Ｘと相違する。このように構成しても、工具箱Ｘ１をヘッドライトテスタＹに対して一体に位置付けることができる。
【産業上の利用可能性】
【００２５】
ヘッドライトテスタを製造・販売する業界や自動車の整備業界で使用される。
【符号の説明】
【００２６】
Ｘ、Ｘ１…ヘッドライトテスタ用工具箱（工具箱）、Ｙ…ヘッドライトテスタ、Ｚ…工具、1…取付けベース板、１ａ…取付け部分（突出端部）、２…底壁、３…左側壁、４…右側壁、５…前壁、６…支持部、６ａ…通孔、７…小仕切り片、８、８Ａ…箱体、９…上端開口、１０…、１１…固定手段、１２…把手部材、１２ａ…把手部分、１２ｂ…取付け基端部、１３…固着具、２１…昇降体、２１ａ、２５ａ…一側壁、２２…案内支柱、２５…カバー体。
【図１】
0003150835.tif 000003
【図２】
0003150835.tif 000004
【図３】
0003150835.tif 000005
【図４】
0003150835.tif 000006
【図５】
0003150835.tif 000007
【図６】
0003150835.tif 000008
【図７】
0003150835.tif 000009
【図８】
0003150835.tif 000010
【図９】
0003150835.tif 000011
【図１０】
0003150835.tif 000012
【図１１】
0003150835.tif 000013